(57)【特許請求の範囲】
【請求項１】
魚釣りに用いる釣竿であって、
竿体と、
前記竿体の周面に配置されリールを脱着自在に固定可能なリールシートと、
前記竿体の前記リールシートより竿元側の周面に固定された肘当てとを備え、
前記肘当ては、前記竿体周面上の前記リールシートと１８０度変位する側にて軸方向に延び、かつ、前記肘当ての長手方向中央付近において前記機竿体周面との間隔がもっとも離れ、前記竿体周面より径外方向に膨らんでいる空間が形成されている橋状部材であり、
釣り人は、前記リールシート付近を把持しつつ肘を前記肘当てに当て、前記肘を前記竿体から浮かせたような状態で操作可能にした
ことを特徴とする釣竿。
【請求項２】
前記肘当ては、前記竿体周面上を長手方向に並列して延びるように一対に配置されている、請求項１に記載の釣竿。
【請求項３】
前記肘当ては、前記竿体と一体的に形成されている、請求項１に記載の釣竿。
【発明の詳細な説明】
【０００１】
【発明の属する技術分野】
本発明は、魚釣りに用いる釣竿に関する。
【０００２】
【従来の技術】
従来の釣竿は、複数の管状体を連結して構成される竿体と、竿体上に間隔を隔てて設けられた釣糸ガイドと、竿体の竿元側周面に配置されリールを装着するためのリールシートとを有している。そして、リールシートに装着したリールからの釣糸を順次釣糸ガイドを通して穂先側に導いている。
【０００３】
このような従来の釣竿では、釣人はリールシートに取り付けたリールの脚部を指に挟み込みつつ竿体のリールシート付近を一方の手で把持し、キャスティングやリトリーブ等の操作を行い、竿体を把持する手が軸方向にずれたり周方向にずれたりするのを抑えつつ釣竿を操作する。
【０００４】
【発明が解決しようとする課題】
リールシートに取り付けたリールの脚部と共に竿体のリールシート付近を把持しつつ釣竿を操作する場合、手首だけで釣竿を支えて釣竿を操作するのでは手首に過大な負担がかかるため、肘を竿体の竿元側端部付近に当てながら釣竿の操作が行われている（図７参照）。
【０００５】
しかし、長時間にわたって肘を竿体の竿元側端部付近に当てながら釣竿の操作を行うと、手首を竿体方向に傾けながら釣竿操作を行うため、逆に手首や腕に負担がかかり釣竿操作が辛くなる。
本発明の課題は、長時間にわたって楽に釣竿操作を行うことができる釣竿を提供することにある。
【０００７】
【課題を解決するための手段】
発明１にかかる釣竿は、魚釣りに用いる釣竿であって、竿体と、竿体の周面に配置されリールを脱着自在に固定可能なリールシートと、竿体のリールシートより竿元側の周面に固定された肘当てとを備え、肘当ては竿体周面上のリールシートと１８０度変位する側にて軸方向に延び、かつ、前記肘当ての長手方向中央付近において前記機竿体周面との間隔がもっとも離れ、竿体周面より径外方向に膨らんだ橋状部材であり、釣り人は、前記リールシート付近を把持しつつ肘を前記肘当てに当て、前記肘を前記竿体から浮かせたような状態で操作可能にしたことを特徴とする。
この釣竿では、釣人はリールシート付近を一方の手で把持し、さらにその手の肘を肘当てに当てながら釣竿を操作する。釣人はリールシート付近を把持しつつ肘を竿体から浮かせた状態で釣竿の操作が可能になり、手首を不自然に竿体方向に傾ける必要なく比較的自然な体勢で釣竿操作を行えるので、長時間の釣竿操作も辛くない。また、手首と肘との２カ所で釣竿の竿体を十分に支えることが可能なので釣竿操作の安定性も向上する。
また、釣人はリールシートに取り付けられたリールの脚部を指の間に挟みつつ竿体のリールシート付近を把持し、かつ所定の位置に設けられる橋状の肘当てに自然な体勢で肘を当てながら釣竿を操作する。また、肘当ては長手方向両端部が竿体に連結され肘当てと竿体の間には空間が形成される橋状の部材であり、釣竿の軽量化を図ることが可能である。
【０００８】
発明２にかかる釣竿は、発明１の釣竿であって、肘当ては、竿体周面上を長手方向に並列して延びるように一対に配置されている。この場合には、一対の肘当てが竿体の周方向に離れて配置されている。釣人は一対の肘当ての間に肘を配置したり、竿体を周方向に傾けて釣竿を操作する場合には、何れか一方の肘当てに肘を当てたり、状況に応じて一対の肘当てを使い分けることが可能である。そして安定した釣竿操作が可能になる。
【０００９】
発明３にかかる釣竿は、発明１の釣竿であって、肘当ては、竿体と一体的に形成されている。この場合には、肘当ては竿体と一体的に形成されており耐久性に優れる。
【００１０】
【発明の実施の形態】
［第１実施形態］
以下、本発明の第１実施形態について、図面を参照しつつ説明する。
本発明の第１実施形態を採用した釣竿は、図１に示すように、複数の筒状部材が順次連結されて構成された竿体１と、竿体１上に一定の間隔を隔てつつ配置された複数の釣糸ガイド２と、竿体１の竿元側に配置されリール３を脱着自在に装着可能なリールシート４と、リールシート４の竿元側の竿体１の周面上に配置された肘当て５とを有している。そして、リール３からの釣糸は順次釣糸ガイド２を挿通して穂先側に至ることになる。
【００１１】
竿体１を構成する複数の部材は、それぞれ炭素繊維またはガラス繊維等の強化繊維に合成樹脂を含浸させたプリプレグをマンドレルに巻回し焼成して得られた先細り筒状部材である。それぞれの部材は、穂先側・竿元側端部にそれぞれ嵌合部と被嵌合部とを有し、いわゆる並継形式で順次穂先側の小径部材を穂先側に連結可能になっている。
【００１２】
リールシート４は、内部に竿体１が貫通して装着される合成樹脂または金属からなる変形筒状部材である。リールシート４は、リール３の脚部の一端を係止するための固定フードと、脚部を載置するための載置部と、軸方向に移動時材な移動フードとを有している。そして、このリールシート４は、固定フードと移動フードとでリール３の脚部を挟み込みながらリール３を竿体１に脱着自在に固定している。
【００１３】
図２及び図３に示すように、肘当て５は、竿体１の竿元側端部付近に配置され、竿体１の周方向に並列して長手方向に延びる対称な一対の部材５ａ，５ｂからなる。例えば、スチール，アルミニウム等の金属材やABS樹脂等の合成樹脂から形成される。この一対の肘当て５ａ，５ｂは竿体１周面上のリールシート４と１８０度変位する側に配置されている。そして、この一対の肘当て５ａ，５ｂはそれぞれ長手方向中央乃至竿元側付近が最も竿体１より離れるように竿体１周面より径外方向に膨らみ、かつ長手方向両端部が竿体１に連結された肘当て５ａ，５ｂと竿体１の間には空間が形成される橋状の部材である。一対の肘当て５ａ，５ｂの長手方向両端部は竿体１に接着剤で接着されたり，ネジ止め等によって固定される。また、図２に示すように、一対の肘当て５ａ、５ｂは長手方向中央付近でそれぞれ両者の間隔が最も離れるように左右にやや広がって形成されている。
【００１４】
このように構成された釣竿では、図４に示すように、釣人はリールシート４付近を一方の手で把持し、さらにその手の肘を肘当て５に当てながら釣竿を操作する。ここで釣人は、一対の肘当て５ａ，５ｂの間に肘を配置したり、竿体１を周方向に傾けて釣竿を操作する場合には何れか一方に肘を当てたり、状況に応じて一対の肘当て５ａ，５ｂを使い分けながら、肘を肘当て５に当てる。
【００１５】
すると、釣人はリールシート４付近を把持しつつ肘を竿体１から浮かせた比較的自然な状態で釣竿の操作が可能になり、手首を不自然に竿体１方向に傾ける必要なく釣竿操作を行えるので、長時間の釣竿操作も辛くない。また、手首と肘との２カ所で釣竿の竿体１を十分に支えることが可能なので釣竿操作の安定性も向上する。さらに、肘当て５は長手方向両端部が竿体１に連結され肘当て５と竿体１の間には空間が形成される橋状の部材であり、釣竿の軽量化を図れる。
【００１６】
［第２実施形態］
以下、本発明の第２実施形態について、図面を参照しつつ説明する。
本発明の第２実施形態を採用した釣竿は、第１実施形態と同様に、複数の筒状部材が順次連結されて構成された竿体１と、竿体１の竿元側周面上に配置された肘当て１５とを有している。
【００１７】
図５及び図６に示すように、肘当て１５は、竿体１の竿元側端部付近に配置され、竿体１の長手方向に丘陵状に延びる部材である。例えば、竿体１を構成する炭素繊維またはガラス繊維等に合成樹脂を含浸させたプリプレグ等と同様のプリプレグ素材等を肘当て１５形成用に所定の位置に積層し、竿体１を焼成すると共に竿体１と一体的に肘当て１５が形成される。この肘当て１５は竿体１周面上のリールシート４と１８０度変位する側に配置されている。そして、この肘当て１５は長手方向中央付近が最も竿体１より離れるように（高さが高くなるように）竿体１周面より径外方向に膨んでいる。
【００１８】
このように構成された釣竿では、第１実施形態と同様に、釣人はリールシート４付近を一方の手で把持し、さらにその手の肘を肘当て１５に当てながら釣竿を操作する。これにより、釣人はリールシート４付近を把持しつつ肘を竿体１から浮かせた比較的自然な状態で釣竿の操作が可能になり、手首を不自然に竿体１方向に傾ける必要なく釣竿操作を行えるので、長時間の釣竿操作も辛くない。
【００１９】
［他の実施形態］
（ａ）肘当てをウレタンゴムやブタジエンゴム等の弾性部材から形成し、必要に応じて竿体の任意の場所に釣人が接着して固定できるようにしてもよい。
このような脱着自在の肘当てを設けることで、釣人が状況に応じて肘当てを竿体から脱着し状況毎に適切な釣竿操作の安定性を図ることが可能になる。
（ｂ）肘当ての形状は上記実施形態に限定されるものではなく、他の様々な形状を採用できる。例えば、円筒型，長方形型等が挙げられる。
（ｃ）本発明は釣竿の形式に関わるものではなく、中通し竿，外通し竿のいずれにも適応可能であり、また、振出形式，並継形式のいずれにも適応可能である。
【００２０】
【発明の効果】
本発明にかかる釣竿によれば、長時間にわたって楽に釣竿操作を行うことができる。
【図面の簡単な説明】
【図１】本発明の第１実施形態を採用した釣竿の全体図。
【図２】図１の肘当て５付近の上面図。
【図３】図２の側面図。
【図４】図１の釣竿の操作状態を示した図。
【図５】本発明の第２実施形態を採用した釣竿の肘当て１５付近の上面図。
【図６】図５の側面図。
【図７】従来の釣竿の操作状態を示した図。
【符号の説明】
１  竿体
３  リール
４  リールシート
５，１５  肘当て
【図１】
0004356955.tif 000002
【図２】
0004356955.tif 000003
【図３】
0004356955.tif 000004
【図４】
0004356955.tif 000005
【図５】
0004356955.tif 000006
【図６】
0004356955.tif 000007
【図７】
0004356955.tif 000008